(57)【要約】【課題】熱交換器及びその上流に設けられる開放式タンクの配置の自由度を向上させ、人体の洗浄時、迅速に水の吐出を開始させることができる衛生洗浄装置を提供する。【解決手段】吐水ノズルに水を供給する給水路と、給水路に設けられ、タンク本体と、このタンク本体の内部に水を流入させる流入口と、タンク本体の内部の水を吐水ノズルへ流出させる流出口と、この流入口との間にエアギャップを形成するように設けられ、タンク本体の内部の余剰水を外部へ排出するオーバーフロー口と、を有する開放式タンクと、開放式タンクよりも下流の給水路に設けられて流出口から流出した水を給水路の下流に供給するポンプと、ポンプよりも下流の給水路に設けられてポンプから供給される水を貯留するとともに貯留する水を加熱するヒータを有する熱交換器と、を備え、開放式タンクと熱交換器との間の給水路に水の逆流を防止する逆流防止手段を設けた。【選択図】図８
2010090620.tif 000002
【特許請求の範囲】
【請求項１】
人体局部に向けて水を吐出する吐水ノズルと、
前記吐水ノズルに水を供給する給水路と、
前記給水路に設けられた開放式タンクであって、
タンク本体と、
前記タンク本体の内部に水を流入させる流入口と、
前記タンク本体の内部の水を前記吐水ノズルへ流出させる流出口と、
前記流入口との間にエアギャップを形成するように設けられ、前記タンク本体の内部の余剰水を外部へ排出するオーバーフロー口と、
を有する開放式タンクと、
前記開放式タンクよりも下流の前記給水路に設けられ、前記流出口から流出した水を前記給水路の下流に供給するポンプと、
前記ポンプよりも下流の前記給水路に設けられ、前記ポンプから供給される水を貯留するとともに、貯留する水を加熱するヒータを有する熱交換器と、
を備えた衛生洗浄装置において、
前記開放式タンクと前記熱交換器との間の前記給水路に、水の逆流を防止する逆流防止手段を設けたことを特徴とする衛生洗浄装置。
【請求項２】
前記逆流防止手段は、前記熱交換器内に貯留される水の最高水位よりも上方において前記給水路を大気開放する大気開放弁であることを特徴とする請求項１記載の衛生洗浄装置。
【請求項３】
前記大気開放弁は、前記熱交換器の上面に対し取付固定されたことを特徴とする請求項２記載の衛生洗浄装置。
【請求項４】
前記逆流防止手段は、一方向のみに通水を可能とするよう前記給水路を遮断する弁体を有する逆流防止弁であることを特徴とする請求項１記載の衛生洗浄装置。
【発明の詳細な説明】
【技術分野】
【０００１】
本発明は衛生洗浄装置に関し、より具体的には、使用者の「おしり」などを水で洗浄可能とした衛生洗浄装置に関する。
【背景技術】
【０００２】
洋式便器本体の上部に設置され、吐出される水によって人体を洗浄する洗浄ノズルを備えた衛生洗浄装置において、洗浄ノズルへの水路の途中にリザーブタンクを設けたものが知られている。リザーブタンクは、水を加熱して内部に貯水する貯湯タンクよりも上流に設けられており、また、リザーブタンク内の貯水は、リザーブタンクと貯湯タンクとの間に接続されているポンプが作動することにより、貯湯タンクへ送られるよう構成されている。
【０００３】
リザーブタンクの槽体の側壁には排水用切り欠きが設けられており、槽体内の余剰水はこの排水用切り欠きから流出し、樋状排水路に流れ込む。余剰水はさらに樋状排水路に沿って流れた後に、樋状排水路に設けられた排水口より洋式便器本体内に排水される（特許文献１）。
【特許文献１】特開平８−１２０７３３号公報
【発明の開示】
【発明が解決しようとする課題】
【０００４】
特許文献１に開示された衛生洗浄装置では、貯湯タンク内の貯水の最高水位よりも下方にリザーブタンクが配置されている（特許文献１の図７参照）。このため、非洗浄時などにポンプが停止すると、貯湯タンク内の貯水が水頭圧により逆流し、ポンプを経てリザーブタンク内に流入する。さらに、リザーブタンクの排水用切り欠きから外部に流出することで貯湯タンク内の水位低下が生じる。したがって、内部上方の貯水から順次流出させるよう構成されている貯湯タンクにおいては、次回の人体の洗浄時には、貯湯タンク内を再度貯水で満たす必要があり、迅速に洗浄ノズルからの水の吐出を開始できないという問題があった。
【０００５】
また、一般的な衛生洗浄装置では、安全性の観点から貯湯タンク内に十分な貯水量が無い状態でのヒータの発熱（いわゆる空焚き）を防止するため、貯湯タンク内のフロートスイッチで貯水量を検知することが行われている。上述のように、貯湯タンク内の貯水がポンプを経てリザーブタンクに逆流して貯湯タンク内の水位低下が生じると、貯湯タンク内にヒータの加熱に十分な貯水量が保たれないおそれがある。そのため、次回の人体の洗浄時、洗浄ノズルから吐出させる水を温水とするまでに時間を要し、迅速に温水の吐出を開始できないという問題があった。
【０００６】
本発明はかかる課題の認識に基づいてなされたものであり、熱交換器及びその上流に設けられる開放式タンクの配置の自由度を向上させ、人体の洗浄時、迅速に水の吐出を開始させることができる衛生洗浄装置を提供することを目的とする。
【課題を解決するための手段】
【０００７】
上記課題を解決するために、本発明に係る衛生洗浄装置は、人体局部に向けて水を吐出する吐水ノズルと、前記吐水ノズルに水を供給する給水路と、前記給水路に設けられた開放式タンクであって、タンク本体と、前記タンク本体の内部に水を流入させる流入口と、前記タンク本体の内部の水を前記吐水ノズルへ流出させる流出口と、前記流入口との間にエアギャップを形成するように設けられ、前記タンク本体の内部の余剰水を外部へ排出するオーバーフロー口と、を有する開放式タンクと、前記開放式タンクよりも下流の前記給水路に設けられ、前記流出口から流出した水を前記給水路の下流に供給するポンプと、前記ポンプよりも下流の前記給水路に設けられ、前記ポンプから供給される水を貯留するとともに、貯留する水を加熱するヒータを有する熱交換器と、を備えた衛生洗浄装置において、前記開放式タンクと前記熱交換器との間の前記給水路に、水の逆流を防止する逆流防止手段を設けたことを特徴とする。
【０００８】
本発明によれば、熱交換器から開放式タンクへの水の逆流が防止されるため、ポンプの非動作時にオーバーフロー口より開放式タンク内の水が流出し、熱交換器内の水位が低下することがない。したがって、熱交換器内を貯水で満たしておくことが可能となり、次回の洗浄時に迅速に吐水ノズルからの水の吐出を開始させることができる。さらに、開放式タンクを熱交換器よりも下方に配置することが可能となるため、構成の自由度を向上させることができる。
【０００９】
また、熱交換器内の貯水量が十分でない場合はヒータによる貯水の加熱が行われない仕様とされている衛生洗浄装置においては、上記逆流を防止して熱交換器内の貯水量を保つことで、熱交換器内の貯水をヒータで加熱して適切な温度に維持することが可能となる。したがって、次回の洗浄時に、適切な温度の水を迅速に吐水ノズルから吐出させることができる。
【００１０】
本発明の好ましい形態では、前記逆流防止手段は、前記熱交換器内に貯留される水の最高水位よりも上方において前記給水路を大気開放する大気開放弁である。
【００１１】
本発明によれば、大気開放弁によって給水路が大気開放されるため、熱交換器から開放式タンクへの水の逆流が防止される。さらに、大気開放弁は熱交換器内に貯留される水の最高水位よりも上方で給水路を大気開放しているため、給水路中の水が外部へ漏出することもない。これにより、熱交換器内を貯水で略満水としておくことが可能となるため、次回の洗浄開始時に迅速に吐水ノズルから水を吐出させることができる。
【００１２】
本発明の好ましい形態では、前記大気開放弁は、前記熱交換器の上面に対し取付固定される。
【００１３】
本発明によれば、熱交換器内に貯留される水の最高水位よりも上方において大気開放させつつ、位置決めを容易に行うことができる。尚、大気開放弁は熱交換器の上面に対し直接的に固定されている必要は無く、ブラケット等の治具を介し、熱交換器の上面を基準として取付固定してもよい。
【００１４】
本発明の好ましい形態では、前記逆流防止手段は、一方向のみに通水を可能とするよう前記給水路を遮断する弁体を有する逆流防止弁である。
【００１５】
本発明によれば、給水路中の水が外部に漏出することがないため、熱交換器内の貯水の水位から制約を受けることなく、逆流を防止する位置を決定することが可能となり、構成の自由度をさらに向上させることができる。
【発明の効果】
【００１６】
本発明によれば、熱交換器及びその上流に設けられる開放式タンクの配置の自由度を向上させ、人体の洗浄時、迅速に水の吐出を開始させることができる衛生洗浄装置を提供することができる。
【発明を実施するための最良の形態】
【００１７】
以下、図面を参照しつつ本発明の実施形態について説明する。
図１は、本発明の実施の形態に係る衛生洗浄装置１００を備えたトイレ装置１０の外観図である。尚、本実施形態のトイレ装置１０はいわゆる「ロータンク式」であるが、本発明は、大便器（腰掛便器）２００に流す水を制御するバルブ機構を備えた「水道直圧式」にも適用することができる。
【００１８】
本実施形態の衛生洗浄装置１００は、大便器２００の後部上方に設けられた本体部１１０を有する。本体部１１０の筺体を構成するケーシング１２０には、便蓋１３０及び、便蓋１３０によって覆われる図示されない便座が回動自在に軸支されている。
【００１９】
図２は、本実施形態に係る衛生洗浄装置１００の内部構成を表す透視図である。
ケーシング１２０は、ケースカバー１２１とケースプレート１２２とを有する。ケースプレート１２２は平板状に形成されて大便器２００上に載置されており、その前方には吐水ノズル１３１が配設される。このほか、ケースプレート１２２上には、脱臭ユニット１４０、熱交換器１５０、コントローラ１６０、リモコン受信部１６１、着座センサー１６２、給水バルブユニット１７０、開放式タンク１８０など、衛生洗浄を行うために必要となる種々の要素が配設されている。また、ケースカバー１２１の側方には、水道管から水の供給を受ける給水部１９０が設けられている。
【００２０】
吐水ノズル１３１は、大便器２００のボウル部内に進退自在であり、大便器２００に着座した使用者の「おしり」などに水を吐出して洗浄する機能を備える。この吐水ノズル１３１が大便器２００のボウル部内に進出した状態で、通水／止水を切り替える開閉弁を内蔵した給水バルブユニット１７０を通過した水を吐出する。なお、本願明細書において「水」という場合には、冷水のみならず、加熱された温水も含むものとする。
【００２１】
熱交換器１５０は、吐水ノズル１３１から吐出される水を温水にするため、給水バルブユニット１７０から供給される水の加熱を行う。後述するように、熱交換器１５０の内部には通電により発熱するヒータ１５１が設けられている。
【００２２】
コントローラ１６０は、リモコン受信部１６１で受信した図示しないリモコンからの信号に基づいて、吐水ノズル１３１の進退や水の吐出量、熱交換器１５０の加熱量等を制御する。
【００２３】
脱臭ユニット１４０は、後に詳述するように、大便器２００のボウル部内の空気を吸引し、脱臭して排気口１４１から排出する役割を有する。脱臭ユニット１４０は、使用者が便座に着座したことを着座センサー１６２が検出すると、脱臭ファン１４２を駆動させ、脱臭ダクト１４３を介してボウル部内の空気の吸引を開始する。
【００２４】
図３は本実施形態に係る脱臭ユニット１４０及び開放式タンク１８０近傍の斜視図、図４は本実施形態に係る脱臭ダクト１４３の分解斜視図、図５は本実施形態に係る脱臭ユニット１４０及び開放式タンク１８０近傍の分解斜視図である。
【００２５】
図３に表したように、ケースプレート１２２の一部に、大便器２００の後方側に向けて切り欠かれた拡張プレート用切欠１２３が設けられている。この拡張プレート用切欠１２３は、大便器２００のボウル部の上方に位置しており、そこには対応した形状を有する拡張プレート３００（図４参照）が嵌め込まれている。
【００２６】
図４に表すように、拡張プレート３００の内部は、後方に立設された後方仕切壁３０１、左右側方にそれぞれ立設された側方仕切壁３０２ａ、３０２ｂにより、ケーシング１２０内に配設されたコントローラ１６０、リモコン受信部１６１などの電子機能部品と仕切られている。さらに、内部に立設された隔壁３０３により、拡張プレート３００内部は、ダクト下ケース３０４と、容器３０５と、に区画されている。このうち、ダクト下ケース３０４は、その前方に前方仕切壁３０６が立設されて四方を囲まれているとともに、底面３０７には導風口３０８が開口している。導風口３０８は大便器２００のボウル部の上方に位置し、多数の小孔が穿設されたフィルタ３０９が装着されており、導風口３０８を通過する空気に含まれる埃の除去が行われる。
【００２７】
一方、容器３０５の底面３０５ａには、後方が後方仕切壁３０１によって仕切られ、左右側方が隔壁３０３、側方仕切壁３０２ｂによって仕切られた受水部３３０が形成されている。容器３０５の前方は開放され、隔壁３０３と側方仕切壁３０２ｂとの間に排水口３０５ｂが形成されている。隔壁３０３及び側方仕切壁３０２ｂには、それぞれ互いに向けてリブ３１０ａ、３１０ｂが突設されており、排水口３０５ｂが絞られている。
【００２８】
ダクト下ケース３０４の上方には、本体部１１０のケースカバー１２１の傾斜に対応した面を有するダクト上ケース４００が装着されて両者は一体となり、内部に空間を有する脱臭ダクト１４３を構成している。さらに、ダクト上ケース４００の天面４０１には、矩形のダクト開口４０２が開設されており、脱臭ダクト１４３内に連通している。
【００２９】
図５に表すように、脱臭ダクト開口４０２には、回転駆動することによって空気を吸引する脱臭ファン１４２が接続されている。すなわち、脱臭ファン１４２は、導風口３０８及び脱臭ダクト１４３を介して大便器２００のボウル部内の空気を吸引する。
【００３０】
脱臭ファン１４２は、大便器２００のボウル部内から吸引した空気を、左側方に配置された脱臭触媒１４４へ向け吹き出す。脱臭触媒１４４は、脱臭ファン１４２によって吹き込まれた空気中の臭気成分を、分解あるいは吸着することで臭気を除去する。脱臭触媒１４４によって臭気が除去された空気は、脱臭ユニット１４０の側面に設けられた脱臭排出口１４１から排出される。図３に表すように、脱臭排出口１４１には、上下に隙間を隔てて配置された複数の板状体によって、下方へ傾斜したスリットが形成されている。これにより、脱臭排出口１４１から排出される空気は斜め下方に向けられるため、使用者の顔面などに排出空気を吹き付けるなどして不快感を与えることがない。
【００３１】
脱臭ダクト１４３とケースプレート１２２との間に形成される隙間には、開放式タンク１８０が配設される。開放式タンク１８０は、吐水ノズル１３１の吐水口から水路中に汚水が浸入した場合にも、その汚水が水道管まで逆流することが無いよう、水路中にいわゆるエアギャップを設ける機能を有する。開放式タンク１８０は、その内部に水を貯留可能であって、給水バルブユニット１７０（図２参照）を通過した水を内部へ流入させる流入口１８１（図５参照）と、内部の水を外部へ排出させる流出口１８２と、を有する。さらに、開放式タンク１８０は横長に構成されており、脱臭ダクト１４３の左側方に流入口１８１が、右側方に流出口１８２が配置される。また、開放式タンク１８０の後方には、ポンプユニット１９１が設けられている。
【００３２】
以下、開放式タンク１８０の構造について詳細に説明する。図６は、本実施形態に係る開放式タンク１８０の構造と水の流れを表す模式図である。
【００３３】
図６に表すように、開放式タンク１８０は、パッキンＰ１〜Ｐ３を介設して組み立てられる複数の部材から構成されている。流入口１８１が設けられた入水蓋部材１８４は、パッキンＰ１を介して水密としながら、導水部材１８５の上部を覆う。導水部材１８５は、入水蓋部材１８４から流入する水を矢印Ｆ１のように下方へと導く。さらに、開放式タンク１８０は、導水部材１８５に接続される貯水部材１８６を有する。貯水部材１８６は、矢印Ｆ２のように導水部材１８５から流入する水を、脱臭ダクト１４３の下方をくぐらせて脱臭ダクト１４３の右側方へと導く。また、貯水部材１８６の上方は、パッキンＰ３を介して、流出口１８２が設けられた出水蓋部材１８７によって水密に覆われている。
【００３４】
入水蓋部材１８４は、導水部材１８５の上方の開口に対応する形状を有し、その天面１８４ａから、入口配管５０３が接続される流入口１８１が後方に向けて突設されている。また、流入口１８１の下方（開放式タンク１８０の内側）には、流入口１８１から流入する水を下方に案内する突条部１８４ｂが形成されている。
【００３５】
貯水部材１８６は、所定量の水を貯留可能な箱状部１８６ｂと、箱状部１８６ｂ内に水を導入する筒状部１８６ａと、からなる。筒状部１８６ａは、導水部材１８５と接続され、脱臭ダクト１４３の下方をくぐらせて箱状部１８６ｂに水を導くよう、左右方向に伸延する細長い略円筒状に形成されている。
【００３６】
開口している貯水部材１８６の箱状部１８６ｂの上部は、パッキンＰ３を介して、出水蓋部材１８７によって水密に覆われている。出水蓋部材１８７は、その天面１８７ａから、出口配管５０４が接続される流出口１８２が後方に向けて突設されている。さらに、筒状の吸引筒部１８７ｂが貯水部材１８６の内部の箱状部１８６ｂ内に位置するように伸びており、吸引筒部１８７ｂは流出口１８２と連通している。
【００３７】
また、図６（ｃ）に表すように、開放式タンク１８０の貯水部材１８６の前面を構成する前方壁１８６ｇは、箱状部１８６ｂの底面１８６ｃから高さＨ２の位置において、前方側に折曲されて折曲部１８６ｈを有している。さらに、折曲部１８６ｈと、出水蓋部材１８７の前方側に形成されたカバー部１８７ｃと、の間に形成されるオーバーフロー空間１８８に連通するよう、折曲部１８６ｈの上方にはオーバーフロー口１８３が、折曲部１８６ｈの下端には放出口１８６ｉが開放されている。
【００３８】
続いて、図７及び図８を参照しつつ、吐水ノズル１３１に供給される水の流れについて説明する。図７は、本実施形態に係る衛生洗浄装置の水路構成を表すブロック図であり、図８は、本実施形態に係る熱交換器１５０及び開放式タンク１８０近傍の構成を表す模式図である。
【００３９】
図７に表すように、水道管５００に接続された止水栓５０１と給水バルブユニット１７０とが、可撓性を有するフレキホース５０２で接続されている。給水バルブユニット１７０は、上流への水の逆流を防ぐ逆止弁１７１や、水中の異物を捕捉するストレーナ１７２、給水圧にかかわらず水の流量を一定に保つ定流量弁１７３、通電により下流への通水／止水を選択的に切り替える電磁弁１７４等を有する。
【００４０】
電磁弁１７４を通過した水は、入口配管５０３を経て、流入口１８１から開放式タンク１８０の内部に流入する。流入した水は開放式タンク１８０の内部に貯留するが、その水位がＨ２を超えると、開放式タンク１８０の前面に設けられたオーバーフロー口１８３から、矢印ＯＦのように余剰水が外部へと流出する（オーバーフロー）。すなわち、流入口１８１とオーバーフロー口１８３との間にエアギャップＡ１が形成され、開放式タンク１８０内部の水位が上昇しても、貯留されている水が流入口１８１まで至ることはない。これによって、開放式タンク１８０から上流への汚水の逆流防止が図られている。また、オーバーフロー口１８３から大便器２００のリム面までには高さＡ２の距離があり、これもエアギャップとして機能しており、ボウル部内で汚水が跳ね、オーバーフロー口１８３から開放式タンク１８０内に浸入してしまう事態を抑制している。
【００４１】
次に、開放式タンク１８０の流出口１８２より下流における水の流れについて説明する。流出口１８２に接続される出口配管５０４の下流には、ポンプ１９１が接続されている。ポンプ１９１は、流出口１８２から開放式タンク１８０内の水を汲み出し、下流へ送るとともに、流量（水勢）の調節も可能とされている。
【００４２】
ポンプ１９１の下流には、熱交換器１５０が設けられている。熱交換器１５０は、例えばシーズヒータなどの加熱源であるヒータ１５１を備えており、上流のポンプ１９１から供給される水の加熱を行う。ポンプ１９１から内部に水が供給されると、熱交換器１５０の上部に設けられた出湯口１５２から、加熱された水が押し出されて流出する。また、その内部には、貯水の水位を検知するフロートスイッチ１５６が設けられており、検知される水位が所定水位以下である場合にはヒータ１５１の駆動を停止する、いわゆる空焚き防止機能を備えている。
【００４３】
熱交換器１５０の下流には、切替弁１９２、吐水ノズル１３１が設けられている。熱交換器１５０の出湯口１５２から流出した水は、切替弁１９２によって、その供給先を吐水ノズル１３１の複数ある吐水口のいずれかに切り替えられる。例えば、使用者が、図示しないリモコン等により「おしり」の洗浄を選択した場合には、コントローラ１６０は、「おしり」の洗浄位置に対応する吐水ノズル１３１の吐水口に対して水が供給先されるよう、切替弁１９２を切り替える。吐水ノズル１３１から吐出される水の水勢および温度は、使用者が好みに応じて変更することが可能であり、使用者はリモコン等によりポンプ１９１の駆動状態や熱交換器１５０の加熱量を調節する。
【００４４】
以上のように、開放式タンク１８０の内部に貯留されている水は、ポンプ１９１によって汲み出されるとともに、汲み出されて吐水ノズル１３１から吐出される流量も使用者が好みに応じて調整することが可能である。したがって、流入口１８１から開放式タンク１８０内に流入する水の流量に対し、ポンプ１９１によって汲み出され流出口１８２から流出する水の流量が相対的に小さい場合には、開放式タンク１８０の内部に貯留されている水の水位が上昇してＨ２を越え、オーバーフロー口１８３から矢印ＯＦのように流出する。この余剰水は大便器２００のボウル部に排出され、大便器２００の排水時にボウル部の水とともに排出される。
【００４５】
ここで、洗浄時に吐水ノズル１３１から十分な量の水を加熱し、吐出可能とするために、熱交換器１５０は大容量化し、衛生洗浄装置１００が具備する部品の中でも比較的大きなものとなっている。また、ヒータ１５１によって加熱された水は、対流により熱交換器１５０内で上昇する。したがって、熱交換器１５０内の水を温度の低いものから順次効率良く加熱するため、ヒータ１５１を熱交換器１５０内の下方に配置するとともに、熱交換器１５０を特に上下方向に大型化させている。このため、図８に表す熱交換器１５０内の貯水の最高水位Ｌは、開放式タンク１８０より上方に位置している。
【００４６】
この配置に伴って、水頭圧により熱交換器１５０内の貯水が開放式タンク１８０に逆流することを防止するため、ポンプ１９１によって開放式タンク１８０内から汲み出された水は、１次配管１５４によってまずバキュームブレーカ１５３に供給され、バキュームブレーカ１５３を通過した水が、次に２次配管１５５によって熱交換器１５０の下部から流入するよう構成されている。バキュームブレーカ１５３は、図８に表すように、１次配管１５４と２次配管１５５との間を、最高水位Ｌより上方において大気開放している。これにより、ポンプ１９１が動作していない非洗浄時などであっても、熱交換器１５０内の貯水が開放式タンク１８０に逆流することを防止している。したがって、開放式タンク１８０を熱交換器１５０よりも低い位置に配置しながらも、熱交換器１５０内の水位が低下することがなく、熱交換器１５０内を満水に近い状態で維持することができるため、次回の洗浄開始時に迅速に吐水ノズル１３１から水を吐出させることができる。また、熱交換器１５０内に十分な水位の水を保持することで、ヒータ１５１によって熱交換器１５０内の水を加熱し、吐出に適した温度に維持することができる。
【００４７】
このバキュームブレーカ１５３は、図８に表すように、熱交換器１５０の上面に対しブラケット１５７を介して取付固定されている。したがって、確実に熱交換器１５０内の水の最高水位Ｌより上方で大気開放させつつ、バキュームブレーカ１５３の取付位置を容易に決定することができる。
【００４８】
以上、具体例を参照しつつ、本発明の実施の形態について説明した。しかし、本発明は、これらの具体例に限定されるものではない。上記実施例では熱交換器１５０内から開放式タンク１８０への逆流防止をバキュームブレーカ１５３によって達成している。しかし、本発明はこれに限られず、バキュームブレーカ１５３に代えて、一方向のみに通水を可能とするよう水路を遮断する弁体を有する逆流防止弁を採用してもよい。この場合、逆流防止弁はやはり１次配管１５４と２次配管１５５との間に設けることとなるが、バキュームブレーカ１５３のように大気開放する位置から水が漏出するおそれがないため、最高水位Ｌの制約を受けることなく設置位置を決定することができる。
【００４９】
本発明の衛生洗浄装置に含まれる各要素については、当業者が適宜設計変更することにより本発明を同様に実施し、同様の効果を得ることができるものも本発明の要旨を含む限り、本発明の範囲に包含される。
【図面の簡単な説明】
【００５０】
【図１】本発明の実施形態に係る衛生洗浄装置を備えたトイレ装置の外観図である。
【図２】本実施形態に係る衛生洗浄装置の内部構成を表す透視図である。
【図３】本実施形態に係る脱臭ユニット及び開放式タンク近傍の斜視図である。
【図４】本実施形態に係る脱臭ダクトの分解斜視図である。
【図５】本実施形態に係る脱臭ユニット及び開放式タンク近傍の分解斜視図である。
【図６】本実施形態に係る開放式タンクの構造と水の流れを表す模式図である。
【図７】本実施形態に係る衛生洗浄装置の水路構成を表すブロック図である。
【図８】本実施形態に係る熱交換器及び開放式タンク近傍の構成を表す模式図である。
【符号の説明】
【００５１】
１０ トイレ装置、１００ 衛生洗浄装置、１１０ 本体部、１２０ ケーシング、１２１  ケースカバー、１２２  ケースプレート、１２３  拡張プレート用切欠、１３１ 吐水ノズル、１４０ 脱臭ユニット、１４２  脱臭ファン、１４３  脱臭ダクト、１４４  脱臭触媒、１５０ 熱交換器、１５１ ヒータ、１５２  出湯口、１５３  バキュームブレーカ、１５４  １次配管、１５５  ２次配管、１５７  ブラケット、１６０ コントローラ、１７０ 給水バルブユニット、１８０ 開放式タンク、１８４  入水蓋部材、１８５  導水部材、１８６  貯水部材、１８６ｉ  放出口、１８７  出水蓋部材、１９０ 給水部、２００ 大便器、２１０ ボウル部、３００ 拡張プレート、３０４  ダクト下ケース、３１０ａ、３１０ｂ リブ、３３０  受水部、４００ ダクト上ケース、５００ 水道管
【図１】
2010090620.tif 000003
【図２】
2010090620.tif 000004
【図３】
2010090620.tif 000005
【図４】
2010090620.tif 000006
【図５】
2010090620.tif 000007
【図６】
2010090620.tif 000008
【図７】
2010090620.tif 000009
【図８】
2010090620.tif 000010